(57)【要約】      （修正有）【課題】操作が煩雑になるのを抑制しながら、ドラムをハンドルに対して遊転させることが可能な巻尺を提供する。【解決手段】巻尺は、テープを巻き取るドラム５と、ドラム５の内部に配置され、ハンドル操作によって回転される回転体４と、ドラム５と回転体４との間に配置された回転伝達機構６とを備える。そして、回転伝達機構６は、ドラム５の内周面５ｂに形成された収納部５２に収納されており、ハンドル操作により回転体４が第１方向に回転された場合に、回転体４の回転をドラム５に伝達し、テープが引き出されることによりドラム５が前記第１方向とは反対の第２方向に回転された場合に、ドラム５の回転を回転体４に伝達しないように構成されている。【選択図】図１４
2014102166.tif 000002
【特許請求の範囲】
【請求項１】
円筒状に形成され、テープを巻き取るドラムと、
前記ドラムの内部に配置され、ハンドル操作によって回転される回転体と、
前記ドラムと前記回転体との間に配置された回転伝達機構とを備え、
前記回転伝達機構は、前記ドラムの内周面または前記回転体の外周面に形成された収納部に収納されており、ハンドル操作により前記回転体が第１方向に回転された場合に、前記回転体の回転を前記ドラムに伝達することが可能であり、かつ、前記テープが引き出されることにより前記ドラムが前記第１方向とは反対の第２方向に回転された場合に、前記ドラムの回転を前記回転体に伝達しないように構成されていることを特徴とする巻尺。
【請求項２】
請求項１に記載の巻尺において、
前記収納部は、前記ドラムの内周面に形成され、
前記回転伝達機構は、前記収納部内において移動可能なボールと、前記ボールを付勢する圧縮コイルばねとを含み、
前記ボールが前記回転体の外周面を押圧することによって、前記回転体の回転が前記ドラムに伝達され、前記ボールによる前記回転体の外周面の押圧が解除されることによって、前記ドラムの回転が前記回転体に伝達されないように構成されていることを特徴とする巻尺。
【請求項３】
請求項２に記載の巻尺において、
前記収納部には、前記回転体の外周面側に傾斜するガイド部が形成され、
前記ボールが前記ガイド部によりガイドされることにより、前記ボールが前記回転体の外周面を押圧し、前記ボールが前記ガイド部から退避する方向に移動することにより、前記ボールによる前記回転体の外周面の押圧が解除されるように構成されていることを特徴とする巻尺。
【発明の詳細な説明】
【技術分野】
【０００１】
本発明は、テープを巻き取るドラムがハンドルに対して遊転可能に構成された巻尺に関する。
【背景技術】
【０００２】
従来、テープを巻き取るドラムと、ハンドルと一体的に設けられた回転体とを備える巻尺が知られている（たとえば、特許文献１参照）。
【０００３】
特許文献１には、テープを巻き取るためのハンドルと、ハンドルと一体的に設けられたハンドル基部（回転体）と、テープを巻き取るリール筒（ドラム）とを備えた巻尺が開示されている。ハンドル基部およびリール筒は同軸上に配置されており、ハンドル基部およびリール筒の間には互いに離間するように軸方向に付勢するコイルばねが設けられている。また、ハンドル基部には係合ピンが設けられ、リール筒には係合凹部が設けられている。
【０００４】
そして、特許文献１の巻尺では、テープの巻き取り時に、係合ピンが係合凹部に係合された状態でハンドルが回転されることにより、ハンドルとともにハンドル基部およびリール筒が一体的に回転されるので、リール筒に対してテープが巻き取られる。一方、テープの引き出し時には、係合凹部に対する係合ピンの係合が解除されることにより、コイルばねの付勢力によってハンドル基部がリール筒から軸方向に離間することから、リール筒がハンドル基部に対して遊転（空転）される。これにより、テープが引き出される際にリール筒の回転に起因してハンドルが回転されることが抑制される。
【先行技術文献】
【特許文献】
【０００５】
【特許文献１】実開平７−１６１０２号公報
【発明の概要】
【発明が解決しようとする課題】
【０００６】
しかしながら、特許文献１に開示された従来の巻尺では、テープの巻き取り時に、ハンドル基部を軸方向に移動させて係合ピンを係合凹部に係合させる必要があるので、操作が煩雑であるという問題点がある。
【０００７】
本発明は、上記の課題を解決するためになされたものであり、本発明の目的は、操作が煩雑になるのを抑制しながら、ドラムをハンドルに対して遊転させることが可能な巻尺を提供することである。
【課題を解決するための手段】
【０００８】
上記した目的を達成するために、本発明による巻尺は、円筒状に形成され、テープを巻き取るドラムと、ドラムの内部に配置され、ハンドル操作によって回転される回転体と、ドラムと回転体との間に配置された回転伝達機構とを備える。そして、回転伝達機構は、ドラムの内周面または回転体の外周面に形成された収納部に収納されており、ハンドル操作により回転体が第１方向に回転された場合に、回転体の回転をドラムに伝達することが可能であり、かつ、テープが引き出されることによりドラムが第１方向とは反対の第２方向に回転された場合に、ドラムの回転を回転体に伝達しないように構成されている。
【０００９】
このように構成することによって、ハンドル操作により回転体が第１方向に回転された場合に、回転伝達機構が回転体の回転をドラムに伝達するので、テープをドラムに巻き取ることができる。また、テープが引き出される際にドラムが第２方向に回転された場合に、回転伝達機構がドラムの回転を回転体に伝達しないので、ドラムを回転体に対して遊転（空転）させるとともに、ハンドルが回転されるのを抑制することができる。さらに、ドラムの内周面または回転体の外周面に形成された収納部に回転伝達機構が収納されており、ドラムおよび回転体を相対的に軸方向に移動させて係合／非係合を切り換える必要がないので、巻尺の操作が煩雑になるのを抑制することができる。
【００１０】
上記巻尺において、収納部は、ドラムの内周面に形成され、回転伝達機構は、収納部内において移動可能なボールと、ボールを付勢する圧縮コイルばねとを含み、ボールが回転体の外周面を押圧することによって、回転体の回転がドラムに伝達され、ボールによる回転体の外周面の押圧が解除されることによって、ドラムの回転が回転体に伝達されないように構成されていてもよい。
【００１１】
この場合において、収納部には、回転体の外周面側に傾斜するガイド部が形成され、ボールがガイド部によりガイドされることにより、ボールが回転体の外周面を押圧し、ボールがガイド部から退避する方向に移動することにより、ボールによる回転体の外周面の押圧が解除されるように構成されていてもよい。
【発明の効果】
【００１２】
本発明の巻尺によれば、操作が煩雑になるのを抑制しながら、ドラムをハンドルに対して遊転させることができる。
【図面の簡単な説明】
【００１３】
【図１】本発明の一実施形態による巻尺の全体構成を示した斜視図である。
【図２】図１の巻尺のアームが回動された状態を示した斜視図である。
【図３】図１の巻尺のケースが分解された状態を示した図である。
【図４】図１の巻尺のハンドルの遊星歯車機構を説明するための図である。
【図５】図３の巻尺の回転体およびドラムを示した断面図である。
【図６】図３の巻尺の回転体を示した平面図である。
【図７】図６の回転体を示した正面図である。
【図８】図６の回転体を示した底面図である。
【図９】図６のＡ−Ａ断面図である。
【図１０】図３の巻尺のドラムを示した平面図である。
【図１１】図１０のドラムを示した正面図である。
【図１２】図１０のドラムを示した底面図である。
【図１３】図１２のＢ−Ｂ断面図である。
【図１４】図１の巻尺の回転伝達機構を説明するための図である。
【図１５】図１の巻尺におけるテープの巻き取り時の動作を説明するための模式図である。
【図１６】図２の巻尺におけるテープの引き出し時の動作を説明するための模式図である。
【発明を実施するための形態】
【００１４】
以下、本発明の一実施形態について図面を参照して説明する。
【００１５】
図１は、本発明の一実施形態による巻尺の全体構成を示した斜視図である。図２は、図１の巻尺のアームが回動された状態を示した斜視図である。図３は、図１の巻尺のケースが分解された状態を示した図である。図４は、図１の巻尺のハンドルの遊星歯車機構を説明するための図である。まず、図１〜図４を参照して、本実施形態による巻尺１００の全体構成の概略について説明する。
【００１６】
巻尺１００は、図１に示すように、帯状に形成されたテープ１と、テープ１を巻き取りおよび引き出し可能なケース２と、テープ１を巻き取るためのハンドル３とを備えている。この巻尺１００では、ハンドル３をＲ１方向に回転させることによりテープ１を巻き取ることが可能であるとともに、テープ１をＰ方向（図２参照）に引っ張ることによりテープ１を引き出すことが可能である。なお、Ｒ１方向は、巻取方向であり、本発明の「第１方向」の一例である。
【００１７】
テープ１には、測距用の目盛り（図示省略）が記されている。このテープ１は、たとえば、ガラス繊維製の芯材に塩化ビニル樹脂が被覆されることにより形成されており、長さが１０〜１００ｍである。
【００１８】
ケース２は、表側ケース２１と、裏側ケース２２とを含んでおり、たとえばＡＢＳ樹脂製である。表側ケース２１および裏側ケース２２は、テープ１を挟んで対向するように配置され、ねじなどにより一体的に形成されている。また、ケース２には、利用者がケース２を把持するための開口部２ａが形成されている。
【００１９】
ハンドル３は、ケース２の表側ケース２１に設けられている。このハンドル３は、アーム３１と、アーム３１の一端（基端）に設けられたハンドル基部３２と、アーム３１の他端（先端）に設けられたつまみ３３と、表側ケース２１に固定される固定部材３４とを含んでいる。
【００２０】
アーム３１は、ハンドル基部３２を中心にして回転可能に構成されている。また、アーム３１は、ハンドル基部３２に回動可能に設けられており、図２に示すように、つまみ３３をケース２の開口部２ａに配置可能に構成されている。つまみ３３は、アーム３１に回転可能に設けられている。
【００２１】
ハンドル基部３２は、固定部材３４に回転可能に取り付けられている。また、ハンドル基部３２は、図４に示すように、回転中心に設けられた中心軸３２ａと、中心軸３２ａの周囲に設けられた複数（たとえば、３つ）のピニオン支持軸３２ｂとを有する。中心軸３２ａには筒状の回転軸（出力軸）３５が挿入され、ピニオン支持軸３２ｂにはピニオンギヤ３６が挿入されている。なお、中心軸３２ａおよび回転軸３５は、図３に示すように、表側ケース２１と裏側ケース２２との間に配置されている。
【００２２】
ここで、ハンドル３は、遊星歯車機構が設けられており、ハンドル基部３２の回転を増速して回転軸３５に伝達するように構成されている。たとえば、回転軸３５は、ハンドル基部３２が１回転する毎に３回転するように構成されている。
【００２３】
この遊星歯車機構は、固定部材３４に中空環状に形成された内歯歯車のリングギヤ３４ａと、ハンドル基部３２を回転させることによってリングギヤ３４ａに内接しながら自転しつつ公転する複数（たとえば、３つ）の外歯歯車のピニオンギヤ３６と、回転軸３５に形成され、ピニオンギヤ３６と噛合して自転する外歯歯車のサンギヤ３５ａとにより構成され、ハンドル基部３２の回転が前記サンギヤ３５ａに形成された回転軸３５に増速されて伝達されるようになされている。
【００２４】
また、回転軸３５は底面側から見て正方形状に形成された部分を有し、その回転軸３５の中央に円柱状の中心軸３２ａが配置されている。なお、中心軸３２ａは、ハンドル基部３２と一体的に設けられているため、ハンドル基部３２が１回転する毎に１回転するように構成されている。また、中心軸３２ａには、裏側ケース２２側からワッシャ３７ｂを介してねじ３７ａ（図３参照）が取り付けられている。
【００２５】
また、巻尺１００は、図３に示すように、ハンドル３と一体的に回転される回転体４と、テープ１を巻き取るドラム５と、回転体４およびドラム５の間に配置される回転伝達機構６（図１４参照）とを備えており、これらは表側ケース２１および裏側ケース２２の間に配置されている。また、ハンドル３の回転軸３５、回転体４およびドラム５は、同軸上に配置されている。
【００２６】
［回転体］
図５は、図３の巻尺の回転体およびドラムを示した断面図である。図６は、図３の巻尺の回転体を示した平面図である。図７は、図６の回転体を示した正面図である。図８は、図６の回転体を示した底面図である。図９は、図６のＡ−Ａ断面図である。次に、図５〜図９を参照して、本実施形態による巻尺１００の回転体４の構成について説明する。
【００２７】
回転体４は、図６〜図９に示すように、円柱状の本体部４１と、本体部４１の下端部に形成されたフランジ部４２と、本体部４１の上端部に形成された係合部４３とを有する。この回転体４は、たとえばＰＯＭ（ポリアセタール樹脂）製である。
【００２８】
本体部４１の中央には、図６および図９に示すように、平面的に見て正方形状の嵌合凹部４１ａが形成されており、この嵌合凹部４１ａには、ハンドル３に設けられた前記回転軸３５（図３参照）が嵌合されている。これにより、回転体４は、前記回転軸３５と一体的に回転するように構成されている。また、本体部４１の中央には、嵌合凹部４１ａと連なるように開口部４１ｂが形成されている。開口部４１ｂは、平面的に見て円形状に形成されており、この開口部４１ｂには、ハンドル３に設けられた中心軸３２ａ（図３参照）が配置されている。
【００２９】
フランジ部４２は、本体部４１の外周面４１ｃから外側に突出するように形成されており、ドラム５（図５参照）の下端部と当接するように構成されている。係合部４３は、本体部４１の外周面４１ｃに所定の間隔を隔てて複数設けられている。本実施形態では、係合部４３は９０度間隔に４つ設けられている。この係合部４３は、内側に弾性変形可能であり、ドラム５の上端部と係合するように構成されている。
【００３０】
［ドラム］
図１０は、図３の巻尺のドラムを示した平面図である。図１１は、図１０のドラムを示した正面図である。図１２は、図１０のドラムを示した底面図である。図１３は、図１２のＢ−Ｂ断面図である。次に、図５および図１０〜図１３を参照して、本実施形態による巻尺１００のドラム５の構成について説明する。
【００３１】
ドラム５は、図１０〜図１３に示すように、円筒状に形成されており、内部５ａに回転体４の本体部４１（図５参照）が配置されている。このドラム５は、たとえばＰＯＭ製である。なお、ドラム５の内部５ａに回転体４の本体部４１が配置された状態では、ドラム５の上端部の上方に回転体４の係合部４３（図５参照）が配置されるとともに、ドラム５の下端部の下方に回転体４のフランジ部４２（図５参照）が配置されることから、ドラム５に対する回転体４の軸方向への移動が規制されている。
【００３２】
ドラム５には、図１２に示すように、環状に形成されたテープ１の基端が取り付けられるピン５１が軸方向に延びるように形成されている。また、ドラム５の内周面５ｂには、回転伝達機構６（図１４参照）が収納される凹状の収納部５２が周方向（回転方向）に沿って延びるように形成されている。収納部５２は、底面側から見て周方向における両端部が円弧状に形成されている。この収納部５２は、周方向に所定の間隔を隔てて複数設けられている。本実施形態では、収納部５２は１２０度間隔に３つ設けられている。また、収納部５２は、周方向における一方端の、回転体４の本体部４１の外周面４１ｃと対向する側の壁面に内側（回転体４の本体部４１の外周面４１ｃ側）に傾斜するように形成されたガイド部５２ａを有する。なお、この収納部５２は、回転体４の本体部４１の外周面４１ｃとフランジ部４２とにより閉塞されるように構成されている。
【００３３】
［回転伝達機構］
図１４は、図１の巻尺の回転伝達機構を説明するための図である。次に、図１４を参照して、本実施形態による巻尺１００の回転伝達機構６の構成について説明する。
【００３４】
回転伝達機構６は、図１４に示すように、収納部５２に収納されている。すなわち、回転伝達機構６は、周方向（回転方向）に所定の間隔を隔てて複数設けられている。本実施形態では、回転伝達機構６は１２０度間隔に３つ設けられている。この回転伝達機構６は、回転体４の本体部４１の外周面４１ｃを押圧することにより回転を伝達するように構成されている。すなわち、本実施形態の回転伝達機構６は、回転体４の外周面４１ｃと、ドラム５の内周面５ｂに形成された収納部５２との間で作用するように構成されている。
【００３５】
回転伝達機構６は、収納部５２内において周方向に沿って移動可能なボール６１と、ボール６１を付勢する圧縮コイルばね６２と、圧縮コイルばね６２を支持する支持部材６３とを有する。なお、ボール６１および支持部材６３は、たとえばＰＯＭ製であり、圧縮コイルばね６２は、たとえばステンレス製である。
【００３６】
ボール６１は、収納部５２の周方向における一方端側（ガイド部５２ａ側）に配置されている。ボール６１は、圧縮コイルばね６２により付勢されるとともに、ガイド部５２ａによりガイドされることによって、回転体４の本体部４１の外周面４１ｃを押圧するように構成されている。すなわち、ガイド部５２ａは、ボール６１を回転体４の外周面４１ｃ側へと案内する機能を有する。また、ボール６１は、圧縮コイルばね６２の付勢力に抗してガイド部５２ａから退避する方向へ移動することによって、外周面４１ｃの押圧を解除可能に構成されている。
【００３７】
圧縮コイルばね６２は、一方端側にボール６１が配置され、他方端側に支持部材６３が配置されている。支持部材６３は、半球状部と、半球状部の平坦面から突出する突状部とを有しており、突状部が圧縮コイルばね６２の内部に配置されている。また、支持部材６３は、収納部５２の周方向における他方端側（ガイド部５２ａとは反対側）に配置され、収納部５２内において移動するボール６１に追従するように構成されている。具体的には、支持部材６３の半球状部が収納部５２の円弧状の端部に接触されており、ボール６１および圧縮コイルばね６２に応じて支持部材６３が移動することによって、支持部材６３により圧縮コイルばね６２を安定的に支持することが可能である。
【００３８】
−巻尺におけるテープの巻き取り時の動作−
図１５は、図１の巻尺におけるテープの巻き取り時の動作を説明するための模式図である。次に、図１、図３および図１５を参照して、巻尺１００におけるテープ１の巻き取り時の動作について説明する。
【００３９】
まず、ハンドル３がＲ１方向（図１参照）に回転されると、ハンドル３に設けられた回転軸３５（図３参照）もＲ１方向に回転される。これにより、回転軸３５が嵌合され、該回転軸３５と一体的に回転する回転体４がＲ１方向（図１５参照）に回転される。
【００４０】
このとき、回転伝達機構６では、回転体４の回転によって、ボール６１には、ガイド部５２ａから退避させる方向の摩擦力が作用するが、通常の巻き取り時における当該回転により作用する摩擦力よりも、圧縮コイルばね６２の付勢力を強くしておくことにより、ボール６１がガイド部５２ａによりガイドされ続けられ、ボール６１が回転体４の本体部４１の外周面４１ｃを押圧し続けられる。このため、回転伝達機構６により回転体４の回転がドラム５に伝達される。これにより、ドラム５が回転体４とともにＲ１方向に回転されることによって、ドラム５に対するテープ１の巻き取りが行われる。
【００４１】
ここで、テープ１の巻き取り時において回転体４（ハンドル３）とドラム５とが一体的に回転されているときに、たとえば、テープ１に捻じれが発生することにより、ドラム５の回転が強制的に停止された場合のように、圧縮コイルばね６２の付勢力以上の摩擦力がボール６１に作用した場合には、ボール６１がｒ方向に回転されたり、ボール６１に対して回転体４が摺動されたりすることにより、回転体４がドラム５に対して滑りながら回転する。すなわち、ドラム５の回転が強制的に停止された場合に、利用者がハンドル３を回転させる力がそのままドラム５に作用するのを抑制することが可能である。これにより、テープ１に過負荷がかかるのを抑制することができる。
【００４２】
なお、テープ１の巻き取り時において回転体４（ハンドル３）とドラム５とが一体的に回転されているときに、ハンドル３を急激に回転させた場合にも、同様に、ボール６１がｒ方向に回転されたり、ボール６１に対して回転体４が摺動されたりすることにより、回転体４がドラム５に対して滑りながら回転する。これにより、テープ１の巻き取りを安全に行わせることができる。
【００４３】
−巻尺におけるテープの引き出し時の動作−
図１６は、図２の巻尺におけるテープの引き出し時の動作を説明するための模式図である。次に、図２および図１６を参照して、巻尺１００におけるテープ１の引き出し時の動作について説明する。
【００４４】
まず、ハンドル３のアーム３１がハンドル基部３２に対して回動されることにより、図２に示すように、つまみ３３がケース２の開口部２ａに配置される。このため、つまみ３３が開口部２ａに係合されることにより、ハンドル３の回転が規制される。
【００４５】
そして、図２に示す状態から、テープ１の先端がＰ方向に引き出される。これにより、図１６に示すように、ドラム５がＲ２方向に回転されるが、このドラム５のＲ２方向への回転による、ボール６１に作用する摩擦力を、圧縮コイルばね６２の付勢力より強くしておくことにより、回転伝達機構６のボール６１が圧縮コイルばね６２の付勢力に抗して収納部５２内において支持部材６３側に移動する。このため、ボール６１がガイド部５２ａから退避する方向に移動するので、ボール６１による回転体４の本体部４１の外周面４１ｃの押圧が解除される。したがって、回転伝達機構６がドラム５の回転を回転体４に伝達しないので、回転体４およびハンドル３に対してドラム５が遊転（空転）される。なお、Ｒ２方向は、巻取方向とは反対の引出方向であり、本発明の「第２方向」の一例である。
【００４６】
そして、テープ１の引き出しが停止されると、圧縮コイルばね６２により付勢されるボール６１がガイド部５２ａによりガイドされることにより、ボール６１が回転体４の本体部４１の外周面４１ｃを押圧する。このため、テープ１の引き出しが停止された場合に、慣性によりドラム５が回転体４に対して遊転するのを抑制することができるので、テープ１が弛むのを抑制することができる。
【００４７】
−効果−
本実施形態では、上記のように、回転伝達機構６は、ハンドル操作により回転体４がＲ１方向（巻取方向）に回転された場合に、回転体４の回転をドラム５に伝達するとともに、テープ１が引き出されることによりドラム５がＲ２方向（引出方向）に回転された場合に、ドラム５の回転を回転体４に伝達しない。
【００４８】
このように構成することによって、ハンドル操作により回転体４がＲ１方向に回転された場合に、回転伝達機構６が回転体４の回転をドラム５に伝達するので、テープ１をドラム５に巻き取ることができる。また、テープ１が引き出される際にドラム５がＲ２方向に回転された場合に、回転伝達機構６がドラム５の回転を回転体４に伝達しないので、ドラム５を回転体４に対して遊転（空転）させるとともに、ハンドル３が回転されるのを抑制することができる。
【００４９】
また、本実施形態では、ドラム５の内周面５ｂに形成された収納部５２に回転伝達機構６が収納されており、回転体４の外周面４１ｃと、ドラム５の内周面５ｂに形成された収納部５２との間で回転伝達機構６が作用することから、ドラムおよび回転体を相対的に軸方向に移動させて係合／非係合を切り換える必要がないので、巻尺１００の操作が煩雑になるのを抑制することができる。
【００５０】
また、本実施形態では、たとえば、テープ１の巻き取り時に捻じれが発生することにより、ドラム５の回転が強制的に停止された場合に、回転体４をドラム５に対して滑らせることができるので、テープ１に過負荷がかかるのを抑制することができる。
【００５１】
また、本実施形態では、ボール６１を付勢する圧縮コイルばね６２と、圧縮コイルばね６２により付勢されるボール６１を回転体４側にガイドするガイド部５２ａとを設けることによって、回転体４がＲ１方向に回転された場合に、ボール６１が外周面４１ｃを押圧するので、回転体４の回転をドラム５に伝達することができるとともに、ドラム５がＲ２方向に回転された場合に、ボール６１による外周面４１ｃの押圧が解除されるので、ドラム５を回転体４に対して遊転させることができる。
【００５２】
また、本実施形態では、回転体４の本体部４１の外周面４１ｃをボール６１が押圧することによって、テープ１に捻じれが発生した場合などに、そのボール６１をｒ方向に回転させることができるので、回転体４をドラム５に対して滑らせることが容易にできる。
【００５３】
−他の実施形態−
なお、今回開示した実施形態は、すべての点で例示であって、限定的な解釈の根拠となるものではない。したがって、本発明の技術的範囲は、上記した実施形態のみによって解釈されるものではなく、特許請求の範囲の記載に基づいて画定される。また、本発明の技術的範囲には、特許請求の範囲と均等の意味および範囲内でのすべての変更が含まれる。
【００５４】
たとえば、本実施形態では、ハンドル基部３２が１回転する毎に回転軸３５が３回転する例を示したが、これに限らず、ハンドル基部が１回転する毎に回転軸が１回転するようにしてもよい。すなわち、ハンドルにおけるハンドル基部と回転軸との変速比はいくつであってもよい。
【００５５】
また、本実施形態では、回転伝達機構６が収納される収納部５２がドラム５の内周面５ｂに形成される例を示したが、これに限らず、回転伝達機構が収納される収納部が回転体の外周面に形成されていてもよい。
【００５６】
また、本実施形態では、回転伝達機構６が３個設けられる例を示したが、これに限らず、回転伝達機構が４個以上設けられていてもよい。
【００５７】
また、本実施形態では、ボール６１がＰＯＭ製である例を示したが、これに限らず、ボールがＰＴＦＥ（ポリテトラフルオロエチレン）などのフッ素樹脂製であってもよい。
【００５８】
また、本実施形態では、テープ１が引き出される際に、つまみ３３が開口部２ａに係合されることにより、ハンドル３の回転が規制される例を示したが、これに限らず、テープ１が引き出される際に、ドラム５が回転体４に対して遊転するため、つまみ３３が開口部２ａに係合されていなくてもよい。
【符号の説明】
【００５９】
１        テープ
３        ハンドル
４        回転体
５        ドラム
５ａ      内部
５ｂ      内周面
６        回転伝達機構
４１ｃ    外周面
５２      収納部
５２ａ    ガイド部
６１      ボール
６２      圧縮コイルばね
１００    巻尺
【図１】
2014102166.tif 000003
【図２】
2014102166.tif 000004
【図３】
2014102166.tif 000005
【図４】
2014102166.tif 000006
【図５】
2014102166.tif 000007
【図６】
2014102166.tif 000008
【図７】
2014102166.tif 000009
【図８】
2014102166.tif 000010
【図９】
2014102166.tif 000011
【図１０】
2014102166.tif 000012
【図１１】
2014102166.tif 000013
【図１２】
2014102166.tif 000014
【図１３】
2014102166.tif 000015
【図１４】
2014102166.tif 000016
【図１５】
2014102166.tif 000017
【図１６】
2014102166.tif 000018